(57)【特許請求の範囲】
【請求項１】
工具部と、該工具部を駆動する駆動部及び該駆動部をオンオフするための駆動スイッチを収容可能な本体ハウジングと、を有する工具本体を備え、前記本体ハウジングに着脱自在に取り付けられる延長ハンドルを備えている延長ハンドル付きの手持ち式電動工具であって、
前記本体ハウジングに被係止部を設け、前記延長ハンドルの先端部に、前記被係止部に係止可能な係止部と前記駆動スイッチをオンするためのスイッチ押部とを備え、前記延長ハンドルと前記本体ハウジングとを当接状態で相対移動することによって、該延長ハンドルの係止部と該本体ハウジングの被係止部とが係止するように構成され、かつ、該係止状態において、前記スイッチ押部が前記駆動スイッチをオンするように構成され、
前記本体ハウジングには、前記スイッチ押部をスライド案内するスライド案内部と、前記駆動スイッチを操作する操作機構部とが設けられ、前記スイッチ押部が前記スライド案内部に当接案内されることで、前記係止部と前記被係止部とが係止し、前記スライド案内部の終端部で前記スイッチ押部が前記操作機構部に係合して前記駆動スイッチをオンするように構成され、
前記操作機構部は、前記駆動スイッチをオンするために押圧するトリガと該駆動スイッチとの間に配置され、かつ、揺動自在に構成されるサブトリガと、前記スイッチ押部に係合して移動し、前記サブトリガを前記駆動スイッチがオンする側へ強制的に操作するスライドバーとを備え、
前記サブトリガは、前記トリガからの押圧力又は前記スライドバーからの押圧力を受けて揺動されることで前記駆動スイッチをオン操作するように構成されていることを特徴とする延長ハンドル付きの手持ち式電動工具。
【発明の詳細な説明】
【技術分野】
【０００１】
本発明は、本体ハウジングの把持部を把持して作業を行うことができるとともに延長ハンドルを本体ハウジングに取り付けて使用することもできる延長ハンドル付きの手持ち式電動工具に関する。
【背景技術】
【０００２】
かかる手持ち式電動工具としては、例えば手持ち式電動バリカンが開発されており、草刈り作業を行う場合には、その把持部を把持しながら膝を折り曲げた状態で行うことになる。そして、前記手持ち式電動バリカンに延長ハンドルを取り付けると、立ったままの姿勢で草刈り作業を行うことができる。
【０００３】
また、上記手持ち式電動工具には、工具部を駆動させる駆動部をオンオフするための駆動スイッチを備えている。延長ハンドルを取り付けないで手持ち式電動工具を使用する場合には、草刈り作業を行う度に前記駆動スイッチを手動でオンすることになる。また、延長ハンドルを取り付けて使用する場合でも、草刈り作業を行う前に前記駆動スイッチを手動でオンしておくことになる。
【０００４】
そして、延長ハンドルを手持ち式電動工具に取り付け、手持ち式電動工具に備える前記駆動スイッチをオンしておくことで、延長ハンドル側で駆動部のオンオフができるように構成されたものが既に提案されている。この延長ハンドルには、延長ハンドルを手持ち式電動工具の把持部に取り付けるための取付部を備え、この取付部が、手持ち式電動工具の把持部に巻回される３つの部材から構成されている。前記３つの部材は、把持部の上端部の表面に当て付けられる上側部材と、上側部材にヒンジを介して連結され把持部の横側部から下端部の表面に当て付けられる下側部材と、下側部材に一端部がヒンジを介して連結され他端部が締結ネジにより上側部材に固定される連結部材とを備えている。従って、３つの部材を手持ち式電動工具の把持部に巻回することによって、駆動スイッチが押される。そして、３つの部材の巻回作業が終了すると、締結ネジにより上側部材に連結部材を固定することによって、手持ち式電動工具への延長ハンドルの装着が完了する。このように駆動スイッチが押されている状態では、延長ハンドルに備えるトリガを引き操作することによって、工具部を駆動させる駆動部をオンして草刈り作業を行うことができる（例えば、特許文献１参照）。
【先行技術文献】
【特許文献】
【０００５】
【特許文献１】特開２０１０−４６７２３号公報
【発明の概要】
【発明が解決しようとする課題】
【０００６】
上記構成の手持ち式電動工具では、取付部を構成する３つの部材を手持ち式電動工具の把持部に巻回する作業を必要とするだけでなく、締結ネジを締め付け操作する作業が必要となるため、延長ハンドルを手持ち式電動工具に取り付ける作業が手間のかかる煩わしいものであった。
【０００７】
そこで、本発明は、かかる事情に鑑みてなされたもので、延長ハンドルを手持ち式電動工具に取り付ける作業を容易迅速に行える延長ハンドル付きの手持ち式電動工具を提供することを課題とする。
【課題を解決するための手段】
【０００８】
本発明に係る延長ハンドル付きの手持ち式電動工具は、工具部と、該工具部を駆動する駆動部及び該駆動部をオンオフするための駆動スイッチを収容可能な本体ハウジングと、を有する工具本体を備え、前記本体ハウジングに着脱自在に取り付けられる延長ハンドルを備えている延長ハンドル付きの手持ち式電動工具であって、前記本体ハウジングに被係止部を設け、前記延長ハンドルの先端部に、前記被係止部に係止可能な係止部と前記駆動スイッチをオンするためのスイッチ押部とを備え、前記延長ハンドルと前記本体ハウジングとを当接状態で相対移動することによって、該延長ハンドルの係止部と該本体ハウジングの被係止部とが係止するように構成され、かつ、該係止状態において、前記スイッチ押部が前記駆動スイッチをオンするように構成され、前記本体ハウジングには、前記スイッチ押部をスライド案内するスライド案内部と、前記駆動スイッチを操作する操作機構部とが設けられ、前記スイッチ押部が前記スライド案内部に当接案内されることで、前記係止部と前記被係止部とが係止し、前記スライド案内部の終端部で前記スイッチ押部が前記操作機構部に係合して前記駆動スイッチをオンするように構成され、前記操作機構部は、前記駆動スイッチをオンするために押圧するトリガと該駆動スイッチとの間に配置され、かつ、揺動自在に構成されるサブトリガと、前記スイッチ押部に係合して移動し、前記サブトリガを前記駆動スイッチがオンする側へ強制的に操作するスライドバーとを備え、前記サブトリガは、前記トリガからの押圧力又は前記スライドバーからの押圧力を受けて揺動されることで前記駆動スイッチをオン操作するように構成されていることを特徴とする。
【０００９】
本発明によれば、延長ハンドルを本体ハウジングに装着する場合には、延長ハンドルと本体ハウジングとを当接した状態で相対移動することによって、延長ハンドルの係止部と本体ハウジングの被係止部とが係止されて延長ハンドルの本体ハウジングへの装着が完了すると同時に、駆動スイッチが押下されて駆動スイッチがオンになる。
また、スライド案内部にスイッチ押部が当接案内されることで、被係止部と係止部とが係止し、スライド案内部の終端部で前記スイッチ押部が前記操作機構部に係合して前記駆動スイッチを押下することができ、スライド案内部の当接案内により、延長ハンドルを本体ハウジングにより一層スムーズかつ迅速に装着させることができる。
【発明の効果】
【００１６】
以上の如く、本発明によれば、延長ハンドルと本体ハウジングとを当接した状態で相対移動させるだけで、延長ハンドルを本体ハウジングに係止により装着すると同時に、駆動スイッチをオンすることができるので、延長ハンドルを手持ち式電動工具に取り付ける作業を容易迅速に行える延長ハンドル付きの手持ち式電動工具を提供することができる。
【図面の簡単な説明】
【００１７】
【図１】本発明の一実施形態に係る延長ハンドル付きの手持ち式電動工具の側面図を示す。
【図２】同実施形態に係る延長ハンドル付きの手持ち式電動工具の一部を省略した背面図を示す。
【図３】図２におけるＡ−Ａ線断面図を示す。
【図４】図３におけるＢ−Ｂ線断面図を示す。
【図５】図３におけるＣ−Ｃ線断面図を示す。
【図６】把持部に取付部を装着する直前の状態を示す要部の側面図を示す。
【図７】図６におけるＤ−Ｄ線断面図を示す。
【図８】取付部を本体ハウジングに装着する直前の状態を示し、（ａ）はそれの概略平面図、（ｂ）はそれの概略側面図である。
【図９】取付部を本体ハウジングに装着が完了する直前の状態を示し、（ａ）はそれの概略平面図、（ｂ）はそれの概略側面図である。
【図１０】取付部を本体ハウジングに装着が完了した状態を示し、（ａ）はそれの概略平面図、（ｂ）はそれの概略側面図である。
【図１１】（ａ）は図７におけるＥ−Ｅ線断面図を示し、（ｂ）は図８（ａ）においてトリガを押圧操作した状態の要部の断面図を示す。
【図１２】延長ハンドルの一部を省略した背面図を示す。
【図１３】同延長ハンドルの一部を省略した側面図を示す。
【図１４】同延長ハンドルの一部を省略した正面図を示す。
【図１５】同延長ハンドルの一部を省略した底面図を示す。
【図１６】延長ハンドルを取り外すとともにカバー部材で把持部の後端部を覆った手持ち式電動工具の側面図を示す。
【図１７】別の形態の延長ハンドル付きの手持ち式電動工具の一部を省略した側面図を示す。
【図１８】図１３におけるＦ−Ｆ線断面図を示す。
【発明を実施するための形態】
【００１８】
以下、本発明に係る延長ハンドル付きの手持ち式電動工具の一実施形態について、図面に基づいて説明する。図１〜図３に、延長ハンドル付きの手持ち式電動バリカンを示している。この手持ち式の電動バリカンは、工具部としての刃部１と、本体ハウジング２と、を有する工具本体を備え、本体ハウジング２に着脱自在に取り付けられる延長ハンドル３とを備えている。
【００１９】
刃部１は、図１及び図３に示すように、上下２枚のブレード１Ａ，１Ｂを有しており、各ブレード１Ａ又は１Ｂは、平面視において略扇状で、かつ、くし状に構成されている。また、各ブレード１Ａ又は１Ｂは、本体ハウジング２にそれの幅方向（左右方向）に所定角度だけ揺動可能に支持されている。そして、後述するトリガ１１が押されることによって、駆動部が駆動すると、ブレード１Ａ，１Ｂが互いに異なる方向に所定角度揺動されて、芝を刈り込むことができる。
【００２０】
本体ハウジング２は、合成樹脂からなる２つ割り形状の部材を、内部に空間を形成するように接合して構成されている。また、図１及び図３に示すように、側面視において略中心部に貫通孔４が形成された略Ｄ字状に形成されている。
【００２１】
本体ハウジング２は、前方に位置する前側部５と、前側部５の上部後端から後方に向けて延出された把持部６と、前側部５の下部後端から後方に向けて延出されたベース部７と、把持部６の後端部とベース部７の後端部とを上下方向で連結する連結部８とを備えている。
【００２２】
前側部５は、内部に大きな空間が形成され、その空間内にブレード１Ａ，１Ｂを駆動する駆動部であるモータＭ（図３参照）等が収容されている。
【００２３】
把持部６は、図３及び図６に示すように、断面形状略円形状（楕円形状や角型状あるいは多角形状でもよい）に形成され、後方側に向かうほど下方に位置するように徐々に下方に湾曲する形状に構成されている。また、把持部６の後端部には、図６及び図７に示すように、把持部６の他の部分よりも幅が狭くなった幅狭部６１を備えている。この幅狭部６１の下部には、左右方向外側に突出して後述する突出部２８Ｔ，２８Ｔの下面を当接案内する上端案内面を有する左右の案内部６２，６２を備えている。これら案内部６２，６２の後端それぞれには、後述する係止部３０が係止する縦長状の被係止部６３が形成されている。これら被係止部６３，６３は、把持部６の左右の幅方向に突出して後述する係止部３０，３０が係止する上下方向に長い縦長状の係止面６３ａ，６３ａを備えている。また、幅狭部６１の後端面６１ａは、上下方向にフラットな面からなり、後述する取付部１７のスライド移動により移動する取付部１７の保持部２９が当接する当接面を構成している。尚、被係止部６３，６３の左右端は、把持部６の左右の横側部の外面よりも内側に位置している。更に、把持部６の両横側部６Ａ，６Ａそれぞれの後端から前方へ向かって把持部６の内部と連通し、かつ、後述する突出部２８Ｔ，２８Ｔの下面を当接しながらスライド案内するスライド案内部としての前後方向に長い案内溝６Ｍ，６Ｍが形成されている。各案内溝６Ｍは、把持部６の横側部６Ａ，６Ａの後端の上下方向略中央位置から前方へ水平方向に延びる上下方向に所定幅を有するように形成されている。この所定幅は、後述する突出部２８Ｔが容易に通過できるように突出部２８Ｔの上下幅よりも少し大きな幅に設定される。
【００２４】
連結部８は、図６及び図７に示すように、幅狭部６１の下端から両横側及び後側に水平に延びる上端面８Ａを備えている。この上端面８Ａは、後述する取付部１７の保持部２９が移動するときに保持部２９の下端を当接案内する案内面としても機能する。また、連結部８には、前記モータＭに電力を供給するための本体側の電源コード９が後方へ延びるように取り付けられている。この電源コード９の先端には、商用電源に接続可能なプラグ（図示せず）を備えている。
【００２５】
図３及び図１１（ａ）に示すように、前記本体側の電源コード９とモータＭとの間を電気的に接続する電気配線（図示せず）が把持部６内を通して前側部５内へ移動される。そして、把持部６と前側部５までの間の電気配線にモータＭを駆動及び駆動停止するための駆動スイッチとしてのマイクロスイッチ１０が接続されている。このマイクロスイッチ１０は、把持部６の前側に収容され、把持部６の前側下部から突出するように設けられたトリガ１１によって操作される。つまり、把持部６を握った手でトリガ１１を下から上へ移動するように押圧する又は該押圧力を解除することによって、マイクロスイッチ１０がオンオフされ、モータＭを駆動及び駆動停止することができる。図１１（ｂ）に、トリガ１１が押圧されてマイクロスイッチ１０がＯＮした状態を示している。
【００２６】
前記トリガ１１が不用意に押圧操作されてマイクロスイッチ１０がＯＮしないように、トリガ１１の押圧操作を阻止するためのオフロックスイッチ１２が設けられている。このオフロックスイッチ１２は、図３及び図１１（ａ）に示すように、把持部６の前側でかつトリガ１１の前端部の上方に位置し、バネ１３によって把持部６の一方の横側部から一側方に向けて水平方向に突出付勢されている。従って、オフロックスイッチ１２を押していない場合には、オフロックスイッチ１２の当接部１２Ａがトリガ１１の当接部１１Ａに当接してトリガ１１の上方への押圧操作が阻止され（図１１（ａ）参照）、オフロックスイッチ１２を把持部６の内側に向けて押し込むことによって、オフロックスイッチ１２の当接部１２Ａがトリガ１１の当接部１１Ａに当接しない位置に移動してトリガ１１の上方への押し操作が可能になる（図１１（ｂ）参照）。
【００２７】
また、本体ハウジング２のベース部７の下方には、図３に示すように、本体ハウジング２を支持するとともに地面からのブレード１Ａ，１Ｂの高さを調整することで刈り込み高さを調整するためのスライダ１４が取り付けられている。このスライダ１４は、皿状に形成されており、刈り込んだ芝を載せておくことができる機能も有している。また、本体ハウジング２の前方には、ブレード１Ａ，１Ｂを保護するためのガード部材１５が設けられている。
【００２８】
図１に示すように、本体ハウジング２の把持部６に装着される延長ハンドル３は、筒状のアーム部１６と、アーム部１６の一端部が水平軸芯周りで角度変更可能に取り付けられ本体側の把持部６に着脱自在に取り付けられる取付部１７と、アーム部１６の他端部に設けられた操作ハンドル部１８とを備えている。
【００２９】
操作ハンドル部１８は、延長ハンドル３を本体側の把持部６に装着して手持ち式電動工具を使用する際に本体側の把持部６の代わりに把持する第２の把持部１９を備えている。この第２の把持部１９には、本体側の把持部６のマイクロスイッチ１０が押されているとき（図３参照）にのみ、前記モータＭに駆動及び駆動停止する信号を出力可能な第２のマイクロスイッチ２０と、この第２のマイクロスイッチ２０をオンオフするための第２のトリガ２１とを備えている。また、前記第２のトリガ２１が不用意に押圧操作されて第２のマイクロスイッチ２０がＯＮしないように、第２のトリガ２１の上方への押圧操作を阻止するための第２のオフロックスイッチ２２も備えている。
【００３０】
操作ハンドル部１８の後端部には、操作ハンドル部１８外へ突出して後方へ延びるハンドル側の電源コード２３を備えている。このハンドル側の電源コード２３の突出側の先端には、商用電源に接続可能なプラグ（図示せず）を備えている。また、ハンドル側の電源コード２３のハンドル側には、電気的に接続された複数本（図では２本）の電気配線２４が操作ハンドル部１８の内部を通ってモータＭ側へ向かっている。これら電気配線２４の途中に第２のマイクロスイッチ２０が接続されている。これらの電気配線２４は、操作ハンドル部１８の本体側で一纏めにされて中継用コード２５を構成し、この中継コード２５がアーム部１６の内部を通ってアーム部１６の本体側の端部まで通され、アーム部１６の本体側の端部の下部に形成している孔を通して外部に引き出される。この引き出された中継コード２５は、操作ハンドル部１８側へ折り返され、保持部２７に保持された状態になっている。中継コード２５の先端には、ソケット２６を備え、そのソケット２６に本体側の電源コード９のプラグを差し込んで電気的に接続することができる。従って、ソケット２６に本体側の電源コード９のプラグを差し込むとともに、操作ハンドル部１８側の電源コード２３のプラグを商用電源のコンセントに差し込む。この状態において、第２のオフロックスイッチ２２を押し込んでロック解除するとともに第２のトリガ２１を押圧操作することによって、電源コード２３のプラグから供給された電力が、中継用コード２５から本体部側の電源コード９へ供給される。このとき、本体側のマイクロスイッチ１０がＯＮしている場合にのみ、操作ハンドル部１８側の第２のトリガ２１を押圧操作することによって、モータＭを駆動して刈り込み作業を行うことができる。
【００３１】
取付部１７は、合成樹脂からなる２つ割り形状の左右の部材を接合して構成され、図６及び図１３に示すように、本体側の把持部６の後端部の上端部及び両横側部を覆うとともに本体側のマイクロスイッチ１０（図３参照）をオンする本体２８と、本体２８の後端下部から後方及び下方へ延びて前記幅狭部６１を覆うとともに係止により把持部６への装着状態を保持する保持部２９とを備えている。
【００３２】
本体２８は、図１２〜図１４に示すように、前端及び下端が開放されたアーチ形状に構成され、上側壁部２８Ａと、左右の側壁部２８Ｂ，２８Ｂと、後側上部壁部２８Ｃを備えている。それら左右の側壁部２８Ｂ，２８Ｂの下端に互いに内側に向いて水平方向に突出する平面視において長方形状のスイッチ押部である突出部２８Ｔ，２８Ｔを備えている。これら突出部２８Ｔ，２８Ｔは、左右の側壁部２８Ｂ，２８Ｂの下端の前端よりも少し後方位置から保持部２９の前端まで延びている（図１５参照）。
【００３３】
前記突出部２８Ｔ，２８Ｔは、取付部１７と把持部６とを当接した状態で相対移動する（具体的には取付部１７を把持部６の後端に当接した状態で前方側へ移動する）ことによって前記マイクロスイッチ１０をオンする操作機構部３３に係合（当接）して操作機構部３３を操作する操作部を構成している。図４及び図１１（ａ），（ｂ）に示すように、操作機構部３３は、把持部６内に配置され、トリガ１１からの押圧によってマイクロスイッチ１０をオンするためのサブトリガ３４（図１１（ａ），（ｂ）のみ図示）と、サブトリガ３４をマイクロスイッチ１０をオンする側へ強制的に操作するスライドバー３５とを備えている。
【００３４】
サブトリガ３４は、後側ほど上方に位置する湾曲形状の板部材から構成され、マイクロスイッチ１０の真下に配置されている。また、サブトリガ３４は、それの後端部を左右軸芯周りで揺動自在に構成され、トリガ１１からの上方への押圧力又はスライドバー３５からの前方への押圧力を受けて上方へ揺動されてマイクロスイッチ１０をオンする。このようにサブトリガ３４がマイクロスイッチ（駆動スイッチ）１０を直接オンすることによって、オフロックスイッチ１２及びトリガ１１の両方を押圧操作してマイクロスイッチ１０を間接的にオンする場合に比べて、操作時間の短縮及び操作力の軽減を図ることができる。
【００３５】
スライドバー３５は、図１１（ａ），（ｂ）に示すように、サブトリガ３４の直後方に配置され、サブトリガ３４を押し上げる前側の当接部３５Ａと、当接部３５Ａの後端から上方へ立ち上げられてから後方に延びる本体部３５Ｂと、本体部３５Ｂの後端から下方に延びる縦部３５Ｃと、縦部３５Ｃの下端部の前面から前方に延びて圧縮コイルバネ３６の内部に入り込んで係止する係止部３５Ｄとを備えている。また、本体部３５Ｂの前後方向略中央部には、図４にも示すように、左右方向外方へ突出する突出片部３５Ｔ，３５Ｔを備えている。そして、スライドバー３５は、圧縮コイルバネ３６によりサブトリガ３４の後方に位置してサブトリガ３４を操作しない退避位置に戻すように付勢されている。従って、前記付勢状態において、取付部１７を装着する時に、図８（ａ），（ｂ）の状態から、本体２８の突出部２８Ｔ，２８Ｔが突出片部３５Ｔ，３５Ｔに当接して（図９（ａ），（ｂ）参照）前方側へスライドバー３５が付勢力に抗して移動されることによって、サブトリガ３４に当接してサブトリガ３４を上方へ揺動操作し、マイクロスイッチ１０をオンする（図１０（ａ），（ｂ）参照）。前記装着された取付部１７を把持部６から取り外すことによって、突出片部３５Ｔ，３５Ｔへの当接力が無くなって、圧縮コイルバネ３６の付勢力でスライドバー３５を退避位置まで戻す。これによりサブトリガ３４が自重とマイクロスイッチ１０の復元力とで下降してマイクロスイッチ１０がオフになる。
【００３６】
保持部２９は、図１３及び図１５に示すように、前端が本体２８の内部空間と連通し、本体２８の後側上部壁部２８Ｃの下端から水平方向後方に向けて延びる上側壁部２９Ａと、上側壁部２９Ａの左右端から下方へ延びる左右の側壁部２９Ｂ，２９Ｂと、下側壁部２９Ｃと、上側壁部２９Ａの後端と左右の側壁部２９Ｂ，２９Ｂの後端と下側壁部２９Ｃの後端とを塞ぐ後側壁部２９Ｄとを有する箱型状に構成され、上側壁部２９Ａ及び下側壁部２９Ｃが、本体２８の上側壁部２８Ａ及び下側端部よりも一段下がった状態に構成されている。下側壁部２９Ｃの前端部には切欠き２９Ｋが形成されている。また、保持部２９の内部には、図４及び図５に示すように、取付部１７を把持部６に装着した際に、幅狭部６１に備えている被係止部６３，６３（図６参照）に係止する左右一対の係止部３０，３０を備えている。これら係止部３０，３０は、保持部２９の内部に備えたボス部３１に上下軸芯周りで回動自在に嵌合して取り付けられ、図示していない捩じりバネにより図４及び図５に示す係止する側に付勢されている。そして、被係止部６３，６３に係止した係止部３０，３０を係止解除側に回転させるための解除操作片３２，３２が係止部３０，３０に一体形成されており、これら解除操作片３２，３２が左右の側壁部２９Ｂ，２９Ｂに形成の開口を通して左右方向外方へ露出している。
【００３７】
以上のように構成された延長ハンドル３付きの手持ち式の電動バリカンは、延長ハンドル３を装着しないで使用することができる。その場合には、図１６に示すように、幅狭部６１及び案内溝６Ｍ，６Ｍを覆うためのカバー部材３７を把持部６の後端部に取り付けることによって、把持部６を持って草刈り作業を行う際に、幅狭部６１や案内溝６Ｍ，６Ｍに指等が引っ掛かることがないだけでなく、見栄えを良くすることができる。
【００３８】
また、延長ハンドル３を把持部６に装着して使用する場合には、まず、延長ハンドル３の一端（先端）に取り付けられている取付部１７を把持部６の後方に位置させる（図６及び図８（ａ），（ｂ）参照）。この状態から、把持部６に対する取付部１７の高さ位置及び左右位置を合わせながら前方の把持部６へ移動させる。そして、本体２８の下端が幅狭部６１の上端案内面６２ａに当接した状態で前方側へスライドさせる。すると、本体２８の左右一対の突出部２８Ｔ，２８Ｔが、案内溝６Ｍ，６Ｍに当接案内されながら把持部６の内部に入り込み、案内溝６Ｍ，６Ｍの終端部の手前で突出片部３５Ｔ，３５Ｔに当接（係合）する（図９（ａ），（ｂ）参照）。この当接（係合）状態から更に前方側へ取付部１７をスライドさせると、スライドバー３５が圧縮コイルバネ３６の付勢力に抗して前方側へ移動される。これにより、スライドバー３５がサブトリガ３４に当接してサブトリガ３４を上方へ揺動操作し、図１０（ａ），（ｂ）に示すように、マイクロスイッチ１０をＯＮ操作する。これと同時に、幅狭部６１の被係止部６３，６３に保持部２９の係止部３０，３０が係止して（図１０（ａ），（ｂ）参照）取付部１７が把持部６に固定されることで、取付部１７の把持部６への装着が完了する。次に、前述したように、ソケット２６に本体側の電源コード９のプラグを差し込むとともに、操作ハンドル部１８側の電源コード２３のプラグを商用電源のコンセントに差し込む。この状態から、第２の把持部１９を握った手で第２のオフロックスイッチ２２を押し込んでロック解除するとともに第２のトリガ２１を押圧操作することによって、モータＭを駆動して刈り込み作業を行うことができる。尚、把持部６に固定された取付部１７を取り外す場合には、解除操作片３２，３２を内側に押し込むことによって、被係止部６３，６３に係止されている係止部３０，３０を係止解除した状態にし、この状態のまま取付部１７を把持部６に対して後方へ移動させることによって、取付部１７を取り外すことができる。
【００３９】
尚、本発明に係る手持ち式電動工具は、上記実施形態に限定されるものではなく、本発明の要旨を逸脱しない範囲で種々の変更が可能である。
【００４０】
例えば、実施形態で示した取付部１７を把持部６以外の部分、例えば前側部５に取り付けるように構成してもよい。前側部５に取り付ける場合には、前側部５にその前方から取付部１７を当接させてから後方へ移動させることによって、取付部１７を前側部５に装着することになる。また、取付部１７を、把持部６の上方又は下方あるいは斜め上方又は斜め下方から取付部１７を装着する構成であってもよい。このように取付部１７の装着方向が変更になることによって、マイクロスイッチ１０を押すための操作機構部３３の構成を変更することになる。
【００４１】
前記実施形態では、取付部１７を把持部６に装着することによって、駆動スイッチであるマイクロスイッチ１０を直接オンする構成としたが、図１７及び図１８に示すように、把持部６に当接した状態で抱き込ませるように移動させることにより装着可能な挟持部材３８を設けて実施してもよい。この挟持部材３８は、把持部６への装着完了によりオフロックスイッチ１２を押圧して解除操作しかつトリガ１１を押圧操作してマイクロスイッチ１０をオンする構成である。具体的には、前記挟持部材３８は、把持部６の上端面に沿うように当接する上側部材３８Ａと、上側部材３８Ａの左右両端に揺動自在に取り付けられ、把持部６の横側面に沿うように当接する左右の横側部材３８Ｂ，３８Ｂと、左右の横側部材３８Ｂ，３８Ｂを把持部６の横側面に当接する側へ揺動付勢するバネ３８Ｃ，３８Ｃとを備えている。この挟持部材３８を把持部６に装着する場合には、横側部材３８Ｂ，３８Ｂの上端部をバネ３８Ｃ，３８Ｃの付勢力に抗して内側に押すことによって、横側部材３８Ｂ，３８Ｂの下部を互いに広げてから、図１８の実線で示すように把持部６に上方から移動させて抱き込むことができる。このとき、横側部材３８Ｂ，３８Ｂで把持部６の横側部から突出しているオフロックスイッチ（図示せず）を押し込み操作するとともに横側部材３８Ｂ，３８Ｂの下端に設けた爪３８ｂ，３８ｂでトリガ１１を上方へ押し上げてマイクロスイッチ１０をオンする。挟持部材３８を把持部６から取り外す場合には、図１８の２点鎖線で示すように、一方又は両方の横側部材３８Ｂをバネ３８Ｃの付勢力に抗して内側に押すことによって、一方の爪３８ｂをトリガ１１から係止解除し、その状態で挟持部材３８を把持部６に対して上方に持ち上げることで取り外すことができる。また、前記構成の場合、延長ハンドル側の第２のトリガ２１を押圧操作したときに、本体側のトリガ１１が連動して押圧操作されるように両者２１，１１が連動していない構成であるため、延長ハンドルを取り付ける際に、本体側のオフロックスイッチ１２とトリガ１１の両方を押し込み操作しなければならない。これに対して、第２のトリガ２１を押圧操作すると、第２のトリガ２１に接続されているインナーケーブル（図示せず）によって操作される可動レバー（図示せず）が本体側のトリガ１１に当接してトリガ１１を押圧操作するように構成していれば、延長ハンドルを取り付ける際に、本体側のオフロックスイッチ１２のみを押し込み操作する構成にすることができる。
【００４２】
また、前記実施形態では、手持ち式電動工具として、例えば庭の芝を刈り込む電動バリカンを説明しているが、庭木剪定用のヘッジトリマーや手持ち式ベルトサンダの他、グラインダやレシプロソーであってもよい。
【００４３】
また、前記実施形態では、スイッチ押部である突出部２８Ｔが操作機構部３３を介して駆動スイッチであるマイクロスイッチ１０をオンしたが、突出部２８Ｔがマイクロスイッチ１０を直接オンする構成であってもよい。また、操作機構部３３の具体的な構成は自由に変更可能である。
【符号の説明】
【００４４】
１…刃部（工具部）、１Ａ，１Ｂ…ブレード、２…本体ハウジング、３…延長ハンドル、４…貫通孔、５…前側部、６…把持部、６Ａ…横側部、６Ｍ…案内溝（スライド案内部）、７…ベース部、８…連結部、８Ａ…上端面、９…電源コード、１０…マイクロスイッチ、１１…トリガ、１１Ａ…当接部、１２…オフロックスイッチ、１２Ａ…当接部、１３…バネ、１４…スライダ、１５…ガード部材、１６…アーム部、１７…取付部、１８…操作ハンドル部、１９…第２の把持部、２０…第２のマイクロスイッチ、２１…第２のトリガ、２２…第２のオフロックスイッチ、２３…電源コード、２４…電気配線、２５…中継用コード、２６…ソケット、２７…保持部、２８…本体、２８Ａ…上側壁部、２８Ｂ…側壁部、２８Ｔ…突出部（スイッチ押部）、２９…保持部、２９Ａ…上側壁部、２９Ｂ…側壁部、２９Ｃ…下側壁部、３０…係止部、３１…ボス部、３２…解除操作片、３３…操作機構部、３４…サブトリガ、３５…スライドバー、３５Ａ…当接部、３５Ｂ…本体部、３５Ｃ…縦部、３５Ｄ…係止部、３５Ｔ…突出片部、３６…圧縮コイルバネ、３７…カバー部材、３８…挟持部材、３８Ａ…上側部材、３８Ｂ…横側部材、３８Ｂ…横側部材、３８Ｃ…バネ、３８ｂ…爪、６１…幅狭部、６１ａ…後端面、６２…案内部、６３…被係止部、６３…被係止部、６３ａ…係止面
【図１】
0006286308.tif 000002
【図２】
0006286308.tif 000003
【図３】
0006286308.tif 000004
【図４】
0006286308.tif 000005
【図５】
0006286308.tif 000006
【図６】
0006286308.tif 000007
【図７】
0006286308.tif 000008
【図８】
0006286308.tif 000009
【図９】
0006286308.tif 000010
【図１０】
0006286308.tif 000011
【図１１】
0006286308.tif 000012
【図１２】
0006286308.tif 000013
【図１３】
0006286308.tif 000014
【図１４】
0006286308.tif 000015
【図１５】
0006286308.tif 000016
【図１６】
0006286308.tif 000017
【図１７】
0006286308.tif 000018
【図１８】
0006286308.tif 000019